(57)【要約】【課題】洗濯機本体内における上部前寄りに槽を支持する補強部材を備えるものにおいて、操作表示手段による操作領域及び表示領域を広く確保する。【解決手段】ドラム式洗濯機は、外箱と、外箱内にあって横軸状に設けられた槽と、外箱の両側部を構成する左右の側板の上部にあって左右の側板に跨がって設けられ槽を支持する補強部材と、外箱の前部を構成する前蓋の上部に設けられ各種設定を行うための操作が入力されるとともに表示を行う操作表示手段と、前蓋の上部に設けられ操作表示手段の上方を覆うとともに操作表示手段による操作表示領域を有する飾り板と、を備える。飾り板の少なくとも一部が、補強部材の前端部よりも後方に位置している。【選択図】図１
2015039391.tif 000002
【特許請求の範囲】
【請求項１】
外箱と、
前記外箱内にあって横軸状に設けられた槽と、
前記外箱の両側部を構成する左右の側板の上部にあって前記左右の側板間に跨がって設けられ前記槽を支持する補強部材と、
前記外箱の前部を構成する前蓋の上部に設けられ各種設定を行うための操作が入力されるとともに表示を行う操作表示手段と、
前記前蓋の上部に設けられ前記操作表示手段の上方を覆うとともに前記操作表示手段による操作表示領域を有する飾り板と、を備え、
前記飾り板の少なくとも一部が、前記補強部材の前端部よりも後方に位置しているドラム式洗濯機。
【請求項２】
前記操作表示手段は、前記補強部材よりも前方に設けられている請求項１に記載のドラム式洗濯機。
【請求項３】
前記操作表示手段は、使用者によるタッチ操作を検出するタッチ操作検出手段を有している請求項１又は２に記載のドラム式洗濯機。
【請求項４】
前記飾り板は、前記補強部材の上方を覆っている請求項１から３のいずれか一項に記載のドラム式洗濯機。
【請求項５】
前記外箱の後上部を構成する天板の前端部と前記飾り板の後端部とが接続されて境界部が形成され、
前記境界部の下方に設けられ前記外箱の外部から前記境界部を通って前記飾り板の下方へ流れ込んだ水を前記操作表示手段に掛からない位置へ誘導する誘導部をさらに備える請求項１から４のいずれか一項に記載のドラム式洗濯機。
【発明の詳細な説明】
【技術分野】
【０００１】
本発明の実施形態はドラム式洗濯機に関する。
【背景技術】
【０００２】
一般に、ドラム式洗濯機は、運転に関する設定及び表示を行うための操作表示装置を備えている。操作表示装置は、操作性や視認性等の観点から、ドラム式洗濯機本体の上部前寄りに設けられることが多い。このような操作表示装置は、使用者からの操作入力を受ける複数の操作部と、光源の発光により表示を行う複数の表示部と、を有している。
【０００３】
操作表示装置において、各操作部が接近して配置されると、操作性が低下するという問題がある。また、各表示部が接近して配置されると、各表示部に対応する光源の光が他の表示部側へ漏れ出てしまい、表示部の視認性が低下するという問題がある。そのため、これら各操作部及び各表示部は、ある程度の間隔を保って配置することが望ましい。
【先行技術文献】
【特許文献】
【０００４】
【特許文献１】特開２００９−９５５３１号公報
【発明の概要】
【発明が解決しようとする課題】
【０００５】
しかし、操作表示装置が設けられるドラム式洗濯機本体の上部前側寄りには、槽を支持する補強部材が設けられていることがある。そして、補強部材の位置の変更は、槽の位置やバランスにも影響するため容易には出来ない。この場合、操作表示装置は、各操作部及び各表示部の間隔を狭くすることで補強部材等の制約に対応することとなり、その結果、各操作部及び各表示部の間隔を十分に確保することは難しかった。
【０００６】
そこで、洗濯機本体内における上部前寄りに槽を支持する補強部材を備えるものにおいて、操作表示手段による操作領域及び表示領域を広く確保することのできるドラム式洗濯機を提供する。
【課題を解決するための手段】
【０００７】
実施形態のドラム式洗濯機は、外箱と、前記外箱内にあって横軸状に設けられた槽と、前記外箱の両側部を構成する左右の側板の上部にあって前記左右の側板間に跨がって設けられ前記槽を支持する補強部材と、前記外箱の前部を構成する前蓋の上部に設けられ各種設定を行うための操作が入力されるとともに表示を行う操作表示手段と、前記前蓋の上部に設けられ前記操作表示手段の上方を覆うとともに前記操作表示手段による操作表示領域を有する飾り板と、を備える。前記飾り板の少なくとも一部が、前記補強部材の前端部よりも後方に位置している。
【図面の簡単な説明】
【０００８】
【図１】一実施形態によるドラム式洗濯機を示す斜視図
【図２】側板の一部を破断してドラム式洗濯機の内部を示す側面図
【図３】飾り板及び天板の一部を破断してドラム式洗濯機の内部を示す斜視図
【図４】図３の一部を拡大して示す図
【図５】操作表示装置を分解して示す斜視図
【図６】前蓋の上部の内部構造を示す縦断側面図
【図７】操作表示装置の構造を示す縦断側面図
【図８】飾り板と天板と接続部分の周辺の断面を示す斜視図
【発明を実施するための形態】
【０００９】
以下、一実施形態について、図面を参照しながら説明する。
図１に示す洗濯機１０は、図２に示すように、槽としての水槽１１及び回転槽１２を外箱２０内に収納して構成されている。洗濯機１０は、回転槽１２の回転軸が水平に対して若干傾斜したいわゆる横軸形のドラム式洗濯機である。洗濯機１０は、扉１３を有している。なお、洗濯機１０において、扉１３側を洗濯機１０の前側とし、扉１３と反対側を洗濯機１０の後側とする。また、前後方向に対して水平直角方向を洗濯機１０の左右方向とする。
【００１０】
外箱２０は、洗濯機１０の外殻を構成するもので、全体として前面が滑らかに傾斜した略矩形の箱状に形成されている。外箱２０は、基台２１、前蓋２２、右側板２３及び図示しない左側板、背板２４、天板２５、及び補強部材２６を有している。基台２１は、外箱２０の底部を構成している。
【００１１】
前蓋２２は、外箱２０の前面部を構成している。前蓋２２は、例えば合成樹脂の成型品である。前蓋２２は、全体として緩やかに傾斜した曲面状に形成されている。また、前蓋２２は、左右の両端部を後方へ折り返した折返し部２２１を有している。この前蓋２２は、上部と下部とで部分的に複数に分割されていても良いし、一体で構成されていても良い。
前蓋２２の前面中央部分には、開口２２２が設けられている。開口２２２は、扉１３によって開閉される。開口２２２は、外箱２０の内部に設けられた回転槽１２内に連通されている。洗濯物は、この開口２２２を通して回転槽１２内に出し入れされる。
【００１２】
右側板２３は、外箱２０の右側部を構成し、図示しない左側板は、外箱２０の左側部を構成している。右側板２３と図示しない左側板とは、外箱２０の左右方向の中心に対してほぼ対称に構成されている。そのため、ここでは右側板２３及び図示しない左側板について、右側板２３を代表して説明する。
右側板２３は、例えば鋼板を曲げ加工したもので、全体として上下方向に長い矩形の板状に構成されている。右側板２３の前端部は、前蓋２２の折返し部２２１の後縁部に接続されている。右側板２３の上端部は、外箱２０の内側つまり左側板側へ水平になるように折り曲げられ、これにより、図３及び図４に示すように取付部２３１が形成されている。
【００１３】
背板２４は、図２に示すように、外箱２０の背面部を構成するものであって、例えば鋼板によって矩形状に構成されている。背板２４は、右側板２３の後端部と、左側板の後端部とを接続している。天板２５は、図１及び図２に示すように、外箱２０の上部を構成するものであって、前蓋２２の後側に設けられている。天板２５は、例えば樹脂の成型品である。
【００１４】
補強部材２６は、図１及び図２に示すように、右側板２３及び左側板の上部にあって、右側板２３及び左側板に跨がって設けられている。補強部材２６は、外箱２０の前後方向の中心に対して前側寄りに設けられている。補強部材２６は、洗濯機１０の左右方向の中央を基準にほぼ対称に構成されている。補強部材２６は、図４にも示すように、例えば帯状の鋼板を曲げ加工されて、水平部２６１と、垂直部２６２と、端部２６３と、を一体に有している。水平部２６１は、補強部材２６の中で左右水平方向へ延びる部分である。垂直部２６２は、水平部２６１の両側を垂直下向きに折り曲げられた部分である。端部２６３は、垂直部２６２の下端部をさらに水平方向であって外箱２０の外方へ向かって折り曲げられた部分である。
【００１５】
補強部材２６の右側の端部２６３は、右側板２３の取付部２３１に対してネジ等によって取り付けられている。同様に、図示はしないが、補強部材２６の左側の端部も、左側板の取付部に対してネジ等によって取り付けられている。補強部材２６は、右側板２３と左側板とを繋ぐことによって、外箱２０全体的な強度を向上させている。
【００１６】
水槽１１は、図２に示すように、前部材１１１と後部材１１２とから構成されている。前部材１１１は、底を有しない筒状に構成され、後部材１１２は、底を有する筒状に構成されている。水槽１１は、前部材１１１と後部材１１２とを水密に接続することによって、前側が開口した円筒状に形成されている。水槽１１は、詳細は図示しないが、下部の後寄り部分において、ダンパにより下方から上方へ向けて押し上げるように弾性支持されている。また、水槽１１は、上部の前寄り部分において、第一バネ１４及び第二バネ１５により、上方へ向けて引き上げるように弾性支持されている。
【００１７】
第一バネ１４及び第二バネ１５は、次のようにして、水槽１１に取り付けられる。すなわち、水槽１１は、第一バネ受け部１１３及び第二バネ受け部１１４を有している。第一バネ受け部１１３は、前部材１１１における筒状の上部から上方へ突出して設けられている。第二バネ受け部１１４は、後部材１１２における筒状の上部から上方へ突出して設けられている。補強部材２６には、バネ支持部材２７が取り付けられている。バネ支持部材２７は、補強部材２６に対して、補強部材２６の後端から後方へ向かって突出するように設けられている。
【００１８】
第一バネ１４及び第二バネ１５は、例えば引っ張りコイルバネである。第一バネ１４は、一方の端部がバネ支持部材２７に取り付けられ、他方の端部が前部材１１１の第一バネ受け部１１３に取り付けられている。これにより、水槽１１の前部材１１１は、第一バネ１４を介して補強部材２６のバネ支持部材２７に支持されている。第二バネ１５は、一方の端部がバネ支持部材２７に取り付けられ、他方の端部が後部材１１２の第二バネ受け部１１４に取り付けられる。これにより、水槽１１の後部材１１２は、第二バネ１５を介して補強部材２６のバネ支持部材２７に支持されている。このように、水槽１１は、第一バネ１４及び第二バネ１５に吊り下げられた姿勢で弾性支持されている。
【００１９】
水槽１１は、前方へ向かって高くなるように傾斜する姿勢、すなわち、後方へ向かって下降傾斜した姿勢で第一バネ１４及び第二バネ１５により支持される。このため、前述したように、バネ支持部材２７が取り付けられる補強部材２６は、前後方向の前寄りに設けられている。
【００２０】
洗濯機１０は、操作表示装置３０を備えている。操作表示装置３０は、洗濯機１０の運転に関する各種設定を行うもので、図１から図３に示すように、外箱２０の上面前側、すなわち前蓋２２の上部に設けられている。操作表示装置３０は、図５に示すように、飾り板３１と操作表示ユニット３２とから構成されている。
【００２１】
飾り板３１は、操作表示装置３０の表面を構成している。飾り板３１は、例えば樹脂などの板で構成され、全体として遮光性を有している。なお、飾り板３１は、樹脂製に限られず、強化ガラスなどであってもよい。飾り板３１は、概ね水平であって全体として緩やかな前下がりの曲面に形成されている。飾り板３１は、図１及び図５に二点鎖線で示す操作表示領域Ａを有している。操作表示領域Ａ内には、図５に示すように、文字若しくは図形又はこれらの結合で構成された複数の操作表示部３１１が設けられている。
【００２２】
操作表示部３１１は、透過性を有して例えば半透明に構成されている。そして、操作表示部３１１は、飾り板３１の裏側から操作表示ユニット３２によって光が照射されることで飾り板３１に表示される。操作表示部３１１は、飾り板３１の裏側から光が照射されていない状態では、飾り板３１に表示されない。また、飾り板３１には、図５に示すように、文字及び図形の結合で構成された電源入ボタン３１２及び電源切ボタン３１３が設けられている。これらボタン３１２、３１３は、常時、外部から視認可能に構成されている。
【００２３】
操作表示ユニット３２は、飾り板３１に必要な操作表示部３１１を表示するとともに、表示された操作表示部３１１に対して行われた使用者のタッチ操作を検出する。すなわち、操作表示ユニット３２は、各種設定を行うための操作が入力されるとともに飾り板３１に必要な表示を行う操作表示手段として機能する。操作表示ユニット３２は、補強部材２６よりも前方すなわち扉１３側に設けられている。操作表示ユニット３２は、図３及び図６に示すように、補強部材２６の間際まで迫っている。
【００２４】
操作表示ユニット３２は、図５及び図７に示すように、ケース３３、回路基板３４、光源ホルダ３５、透明電極フィルム３６、及び圧接部材３７を有している。ケース３３は、例えば合成樹脂製であって、左右方向へ長い矩形の浅い皿状に構成されている。回路基板３４は、左右方向に長い矩形状に構成されており、電子部品３４１や、７セグメントディスプレイ３４２及び複数の光源３４３が実装されている。電子部品３４１は、例えばマイコンなどで構成されている。光源３４３は、例えばＬＥＤなどである。
【００２５】
光源ホルダ３５は、遮光性を有する例えば樹脂などの部材で構成され、ある程度の厚みを有している。光源ホルダ３５は、個々の光源３４３に対応して複数の遮光部３５１を有している。遮光部３５１は、図７に示すように椀状の底部に穴３５２を有している。回路基板３４に設けられた光源３４３は、この穴３５２から遮光部３５１内に挿入される。そして、ある遮光部３５１内において光源３４３から照射された光は、他の遮光部３５１へ漏れ出ないようになっている。これにより、複数の光源３４３のうち一の光源３４３が発光すると、その発光した光源３４３に対応する飾り板３１の文字又は図形が、飾り板３１の操作表示領域Ａ内においてその表面に浮かび上がるように表示される。
【００２６】
透明電極フィルム３６は、透光性を有するシート状の部材で構成されている。透明電極フィルム３６は、静電容量の変化を検出するための検出電極として複数の検出部３６１を有している。透明電極フィルム３６は、回路基板３４の図示しない検出・表示回路に接続されている。図示しない検出表示回路は、透明電極フィルム３６の検出部３６１と使用者の例えば指との間の静電容量の変化を検出し、これにより使用者のタッチ操作を検出する。この透明電極フィルム３６は、使用者によるタッチ操作を検出するタッチ操作検出手段として機能する。
【００２７】
圧接部材３７は、例えば弾性を有する透明な樹脂材料で構成されている。圧接部材３７は、図４では右側の一部のみを示しているが透明電極フィルム３６と光源ホルダ３５との間全体に亘って対応する位置に適宜設けられており、透明電極フィルム３６を飾り板３１の裏側面へ押し付けている。
【００２８】
図６に示すように、前蓋２２の上部には、前蓋２２の上部を窪ませて収納部２２３が形成されている。操作表示ユニット３２は、この収納部２２３に収納されている。そして、飾り板３１は、収納部２２３の上部を塞ぐようにして前蓋２２に設けられ、これにより操作表示ユニット３２全体を覆っている。飾り板３１の少なくとも一部、この場合、飾り板３１の後縁部３１４は、補強部材２６の前端部２６４よりも後方に位置している。本実施形態の場合、飾り板３１は、図８にも示すように補強部材２６全体の上方を覆っている。この場合、飾り板３１の後縁部３１４は、補強部材２６の後縁部２６５よりも後側に位置している。
【００２９】
また、この場合、天板２５は、補強部材２６を覆っていない。すなわち、天板２５の前端部２５１は、補強部材２６の後方に位置している。飾り板３１の後縁部３１４は、天板２５の下方へ潜り込むようにして、天板２５の前端部２５１に突き合わされている。これにより、外箱２０の上表面は、飾り板３１と天板２５とによって、見かけ上一つの面に形成されている。この場合、飾り板３１と天板２５と境界となる部分、すなわち、飾り板３１の後縁部３１４と天板２５の前端部２５１とを突き合わせた境界部４０には、僅かな隙間が形成されている。
【００３０】
前蓋２２は、図４、及び図６から図８に示すように、第一誘導部２２４及び第二誘導部２２５を一体に有している。第一誘導部２２４及び第二誘導部２２５は、飾り板３１の下方に設けられている。つまり、第一誘導部２２４及び第二誘導部２２５の上方は、飾り板３１に覆われている。第一誘導部２２４及び第二誘導部２２５は、境界部４０により形成された隙間を通って、外箱２０の外部から飾り板３１の下方つまり収納部２２３内へ流れ込んだ水を、操作表示ユニット３２に掛からない位置へ誘導するものである。
【００３１】
第一誘導部２２４は、境界部４０の下方に位置している。前蓋２２は、図８に示すように、第一誘導部２２４部分が補強部材２６に載置されることにより、補強部材２６に支持されている。第一誘導部２２４は、飾り板３１の後端側の一部と天板２５の前端側の一部とによって覆われている。第一誘導部２２４は、図４に示すように、前側を除く三方が立ち上がって囲まれた浅い皿状に形成され、前方へ向かってやや傾斜している。また、第一誘導部２２４には、複数のリブ２２６が一体に設けられている。リブ２２６は、第一誘導部２２４の上面から上方へ突出するとともに、第一誘導部２２４の後端から前端に亘って前後方向へ延びている。リブ２２６は、前蓋２２における第一誘導部２２４部分を補強する。また、リブ２２６は、第一誘導部２２４の傾斜によって第一誘導部２２４を流れる水を、前方へ誘導する。
【００３２】
第二誘導部２２５は、操作表示ユニット３２の下方に位置し、第一誘導部２２４に繋がっている。第二誘導部２２５は、収納部２２３の底部を構成している。第二誘導部２２５は、左右方向へ延びる樋状に形成され、補強部材２６の前方に位置している。第二誘導部２２５は、左右のうち一方向、この場合、右側へ向かって下降傾斜している。したがって、第一誘導部２２４から第二誘導部２２５へ流れ込んだ水は、第二誘導部２２５を伝って第二誘導部２２５の右方へ誘導される。第二誘導部２２５の右側部分には、第二誘導部２２５を貫いて排出孔２２７が形成されている。排出孔２２７は、水槽１１の右側上方に位置している。第二誘導部２２５の右方へ誘導された水は、排出孔２２７から収納部２２３の外部へ排出されて水槽１１の右側に落下する。
【００３３】
この構成において、外箱２０は、右側板２３と図示しない左側板とに跨がって設けられて水槽１１及び回転槽１２を支持する補強部材２６を有している。そして、飾り板３１の少なくとも一部、この場合、飾り板３１の後縁部３１４が、補強部材２６の前端部よりも後方に位置している。すなわち、飾り板３１の少なくとも一部は、補強部材２６の上方を覆っている。これによれば、飾り板３１の後縁部３１４が補強部材２６の前端部２６４よりも前方に位置しているもの、すなわち、飾り板３１が補強部材２６の上方全体を覆っていないものに比べて、飾り板３１における操作表示領域Ａを広く確保することができる。すなわち、操作表示ユニット３２を、補強部材２６の間際に至る程度に拡大した場合であっても、飾り板３１の表面に、操作表示ユニット３２による操作表示領域Ａを確保することができる。
【００３４】
一般に、補強部材２６は、重量物である水槽１１を支持するものであるため、設計変更等によって容易に移動することが出来ない。つまり、補強部材２６の制約により、操作表示ユニット３２を拡大して操作表示領域Ａを拡大することは容易ではない。しかし、本実施形態によれば、補強部材２６の配置を変更することなく、操作表示ユニット３２による操作表示領域Ａを確保することができる。これにより、操作表示領域Ａ内において、各操作表示部３１１の配置間隔を広く確保することができる。その結果、各操作表示部３１１を密集させて配置した場合に生じる誤操作を抑制でき、使用者の操作性の向上が図られる。また、光源ホルダ３５の各遮光部３５１の間隔を十分に確保することができる。したがって、各操作表示部３１１に対応する光源３４３の光が他の操作表示部３１１側へ漏れ出て操作表示部３１１の視認性を低下させるといった問題を解消することができる。
【００３５】
前蓋２２は、当該前蓋２２の一部、この場合、第一誘導部２２４部分が補強部材２６に載置されることにより、補強部材２６に支持されている。これによれば、前蓋２２は、強度の高い補強部材２６によって支持されているため、上方からの荷重に対する耐久性を向上させることができる。
【００３６】
操作表示ユニット３２は、補強部材２６よりも前方に設けられている。そして、操作表示ユニット３２の上方は飾り板３１によって覆われている。これによれば、外箱２０の外部から水が掛かった場合であっても、操作表示ユニット３２の上方が飾り板３１によって覆われているため、操作表示ユニット３２の回路基板３４等に水が掛かることを抑制することができる。
【００３７】
操作表示ユニット３２は、使用者の指によるタッチ操作を静電容量の変化により検出するための透明電極フィルム３６を有している。これによれば、操作表示領域Ａを広く確保していることにより、使用者はミスタッチの度合いを低くできて確実なタッチ操作により操作表示装置３０を操作することができる。したがって、操作表示装置３０の操作性を向上することができる。さらに、飾り板３１の表面には、ボタン等の機械的な構造物を設ける必要が無く、飾り板３１の表面を平坦に構成することができる。これにより、飾り板３１の表面について、煩雑な印象を与えずに簡素な構成とすることができ、その結果、操作表示装置３０の意匠性の向上が図られる。
【００３８】
天板２５の前端部２５１と飾り板３１の後端部３１４とが突き合わされて境界部４０が形成されている。前蓋２２は、第一誘導部２２４及び第二誘導部２２５を有している。第一誘導部２２４は、境界部４０の下方に設けられている。そして、第一誘導部２２４及び第二誘導部２２５は、外箱２０の外部から境界部４０を通って飾り板３１の下方へ流れ込んだ水を、操作表示ユニット３２に掛からない位置へ誘導する。これによれば、電装品を有する操作表示ユニット３２への水掛かりを抑制することができ、安全性の向上が図られる。
【００３９】
なお、上記実施形態において、飾り板３１は、補強部材２６の上方の略全体を覆っているが、これに限られず、飾り板３１は、補強部材２６の一部の上方を覆う構成でも良い。また、操作表示装置３０は、タッチ操作式のものに限られず、機械式のボタンを有するものであっても良い。
【００４０】
補強部材２６は、左右の側板に直接設けるものに限られず、例えば他の部材を介して左右の側板に設けても良い。
以上説明した実施形態によれば、ドラム式洗濯機は、外箱と、前記外箱内にあって横軸で駆動されるように設けられた槽と、前記外箱の両側部を構成する左右の側板の上部にあって前記左右の側板間に跨がって設けられ前記槽を支持する補強部材と、前記外箱の前部を構成する前蓋の上部に設けられ各種設定を行うための操作が入力されるとともに表示を行う操作表示手段と、前記前蓋の上部に設けられ前記操作表示手段の上方を覆うとともに前記操作表示手段による操作表示領域を有する飾り板と、を備える。前記飾り板の少なくとも一部が、前記補強部材の前端部よりも後方に位置している。
【００４１】
これによれば、飾り板が補強部材の上方を覆っていないものに比べて、飾り板における操作表示領域を広く確保することができる。これにより、洗濯機本体内における上部前寄りに槽を支持する補強部材を備えるものにおいて、操作表示手段に係る操作領域及び表示領域を広く確保することができる。
【００４２】
本発明の一実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変更は、発明の範囲や要旨に含まれるとともに、特許請求の範囲に記載された発明とその均等の範囲に含まれる。
【符号の説明】
【００４３】
図面中、１０はドラム式洗濯機、１１は水槽（槽）、１２は回転槽（槽）、２０は外箱、２２は前蓋、２２４は第一誘導部（誘導部）、２２５は第二誘導部（誘導部）、２３は右側板（側板）、２５は天板、２６は補強部材、３１は飾り板、３２は操作表示ユニット（操作表示手段）、３６は透明電極フィルム（タッチ操作検出手段）、４０は境界部、Ａは操作表示領域を示す。
【図１】
2015039391.tif 000003
【図２】
2015039391.tif 000004
【図３】
2015039391.tif 000005
【図４】
2015039391.tif 000006
【図５】
2015039391.tif 000007
【図６】
2015039391.tif 000008
【図７】
2015039391.tif 000009
【図８】
2015039391.tif 000010